(57)【特許請求の範囲】
【請求項１】
リブを下方に突設した床パンの下面に上記リブを介して隣接する複数の被加熱部を設け、面状ヒータにヒータ線の主線部が配置されて成る面状発熱部を複数設け、隣接する面状発熱部間にその主線部同士を接続するヒータ線の接続線部が配置されて成る変形可能な面状連結部を連設し、面状連結部の接続線部を隣接する面状発熱部の隣接方向に対して斜めに配線し、床パンの隣接する被加熱部に面状ヒータの隣接する面状発熱部をそれぞれ沿わせて配設すると共に、面状ヒータの面状連結部を折り曲げてリブの両側面及び突出先端面に沿わせて配設し、リブの両側面に沿う接続線部がリブの側面から見て重ならないようにして成ることを特徴とする床パン暖房構造。
【請求項２】
軟質性断熱材を面状連結部を介して隣接する面状発熱部に跨るように面状ヒータの下側に覆わせ、隣接する面状発熱部を覆う軟質性断熱材の下側に硬質性断熱材を覆わせると共に、この硬質性断熱材を面状ヒータや軟質性断熱材を間に挟んで床パンに取り付けたことを特徴とする請求項１記載の床パン暖房構造。
【請求項３】
床パンのリブの突出先端面に位置決め突起を垂設し、上記位置決め突起に面状ヒータの面状連結部に穿設した位置決め穴を嵌合させたことを特徴とする請求項１又は２記載の床パン暖房構造。
【発明の詳細な説明】
【技術分野】
【０００１】
本発明は、床パン暖房構造に関するものである。
【背景技術】
【０００２】
近年、浴室の洗い場を構成する床パンには、洗い場上の残水を乾燥させたり、冬季の洗い場からの足裏への冷感を緩和するために、床暖房装置を設置するケースが増えてきている。床パンに床暖房装置を設置して成る床パン暖房構造としては床パンの下面に面状ヒータを沿設して成る構造が挙げられるが、床パンの下面には剛性確保の為のリブがしばしば垂設されるのであり、このリブは床パンの下面への面状ヒータの沿設の際の障害物となってしまう。
【０００３】
たとえば、図６のようにリブ２にその根元にまで至るような切欠９を形成し、この切欠９を通して床パン１の下面に平板状の面状ヒータ１０を沿設させることも行われているが（たとえば特許文献１参照）、上記切欠９がリブ２を実質的にその長さ方向に分断してしまい、リブ２による床パン１の剛性補強効果を低減させてしまうという欠点があり、これを補うために補強板５０を取り付けたりしなければならなかった。
【０００４】
そこで、本出願人は鋭意研究の末、面状ヒータ１０に変形可能な箇所を設けてこの箇所でリブ２を乗り越えさせるようにすることで、上記リブの根元にまで至る切欠９の形成を回避することを想起したが、リブ２に沿って乗り越える面状ヒータ１０がリブ２の側面から見て重なるようになってリブ２を過加熱してしまうという新たな問題に直面することとなった。
【特許文献１】特開２００６−３４８７０３号公報
【発明の開示】
【発明が解決しようとする課題】
【０００５】
本発明は上記の点に鑑みてなされたものであり、その目的とするところは、リブによる床パンの剛性補強効果を確保しつつも面状ヒータによるリブへの過加熱を防止できる床パン暖房構造の提供を課題とするものである。
【課題を解決するための手段】
【０００６】
上記課題を解決するために請求項１に係る床パン暖房構造にあっては、リブ２を下方に突設した床パン１の下面に上記リブ２を介して隣接する複数の被加熱部３を設け、面状ヒータ１０にヒータ線１２の主線部１２ａが配置されて成る面状発熱部１３を複数設け、隣接する面状発熱部１３間にその主線部１２ａ同士を接続するヒータ線１２の接続線部１２ｂが配置されて成る変形可能な面状連結部１４を連設し、面状連結部１４の接続線部１２ｂを隣接する面状発熱部１３の隣接方向に対して斜めに配線し、床パン１の隣接する被加熱部３に面状ヒータ１０の隣接する面状発熱部１３をそれぞれ沿わせて配設すると共に、面状ヒータ１０の面状連結部１４を折り曲げてリブ２の両側面２ａ及び突出先端面２ｂに沿わせて配設し、リブ２の両側面２ａに沿う接続線部１２ｂがリブ２の側面２ａから見て重ならないようにして成ることを特徴とする。
【０００７】
これによると、床パン１の下面に沿設する面状ヒータ１０は変形可能な面状連結部１４を折り曲げることでリブ２を乗り越えるようにしているので、従来技術のようにリブ２にその根元にまで至る切欠９を設けることなく面状ヒータ１０を床パン１の下面に沿設できて、つまりリブ２による床パン１の剛性補強効果を確保できるのであり、また、リブ２を乗り越える面状連結部１４にある接続線部１２ｂにあっては、リブ２の両側面２ａに沿う各部分（折曲前部１２ｂ１と折曲後部１２ｂ２）とがリブ２の側面２ａから見て重ならないようにされているので、リブ２の同位置を両側面２ａから加熱してしまう事態を回避できて、つまりリブ２の過加熱を防止できるのである。
【０００８】
また、請求項２に係る床パン暖房構造にあっては、請求項１において、軟質性断熱材２０を面状連結部１４を介して隣接する面状発熱部１３に跨るように面状ヒータ１０の下側に覆わせ、隣接する面状発熱部１３を覆う軟質性断熱材２０の下側に硬質性断熱材３０を覆わせると共に、この硬質性断熱材３０を面状ヒータ１０や軟質性断熱材２０を間に挟んで床パン１に取り付けたことを特徴とする。
【０００９】
これによると、硬質部材である硬質性断熱材３０の床パン１への取り付けによって、変形可能な部位のある面状ヒータ１０や軟質性断熱材２０を安定的に床パン１に取り付けでき、面状ヒータ１０の下方を各断熱材２０，２１で安定して覆わせることができる。ここで、軟質性断熱材２０によるとリブ２に沿わせて変形させて面状ヒータ１０の面状連結部１４を覆わせて熱ロスを抑制でき、また、面状ヒータ１０における主加熱部位である面状発熱部１３の下方は軟質性及び硬質性の断熱材２０，２１で２重に覆うことができると共に、硬質性断熱材３０により面状発熱部１３を床パン１の被加熱部３に押し付けることができるのであり、面状ヒータ１０による床パン１の加熱効率を効果的に向上できる。
【００１０】
また、請求項３に係る床パン暖房構造にあっては、請求項１又は２において、床パン１のリブ２の突出先端面２ｂに位置決め突起８を垂設し、上記位置決め突起８に面状ヒータ１０の面状連結部１４に穿設した位置決め穴１７を嵌合させたことを特徴とする。
【００１１】
これによると、視認性の良いリブ２の突出先端面２ｂの位置決め突起８を面状連結部１４の位置決め穴１７に嵌合させることで、簡単且つ正確に面状ヒータ１０を床パン１の下面に沿設させるようにできて良好な製造性を確保できる。
【発明の効果】
【００１２】
本発明にあっては、リブを有した床パンの下面に面状ヒータを沿設するにあたり、リブによる床パンの剛性補強効果を確保すると共に、面状ヒータによるリブへの過加熱を防止することができる、という利点を有する。
【発明を実施するための最良の形態】
【００１３】
以下、本発明を添付図面に示す実施形態に基いて説明する。
【００１４】
図２は床暖房装置を設置した床パン１を下方から見た斜視図である。本例の床パン１は上面が浴室の洗い場を構成する防水床パンであり、床パン１に高い剛性強度を備えるため、その下面には下方に突出するリブ２が縦横に多数条形成されている。詳しくは、床パン１の下面は碁盤状のリブ２によって区画されるのであるが、リブ２は床パン１の中央域１ｂに比べてその周縁域１ａで密度を高くして設けられていて、つまりリブ２にて囲繞された床パン１の各下面部位の平面面積は床パン１の周縁域１ａで狭く、中央域１ｂでそれより広くなっている。しかして、床パン１の中央域１ｂよりも床パン１の周縁域１ａで剛性強度が高く確保されているが、床パン１の中央域１ｂのリブ２は床パン１の周縁域１ａのリブ２から連続されて且つ対向する床パン１の周縁域１ａの間に亙るように形成されているため、床パン１は全体としてリブ２により効果的な剛性補強が為されているのである。
【００１５】
本例の床暖房装置は、金属製の均熱シート材で構成された主体シート１１に通電状態で発熱するヒータ線１２を配設して形成される面状ヒータ１０を有しており、この床暖房装置を床パン１に設置するには、上記面状ヒータ１０を床パン１の下面の中央域１ｂに沿設する（沿わせて配置する）ことが行われる。詳しくは、面状ヒータ１０による洗い場の加熱は、面状ヒータ１０が床パン１の周縁域１ａに比較して広い中央域１ｂのリブ２が囲繞する床パン１の平坦な下面部位を加熱することで主に行われるのであるが、この面状ヒータ１０が加熱する床パン１の下面部位を被加熱部３と称すると、床パン１の下面の中央域１ｂは複数の被加熱部３がリブ２を介して隣接する構造となっている。なお、図中４は洗い場の排水口であり、図中５は床パン１を建物の設置面上に支持させる支持脚の取付部であり、いずれもリブ２による剛性補強効果の高い床パン１の周縁域１ａに設けられている。
【００１６】
具体的には、本例の面状ヒータ１０は、図３のようにヒータ線１２の主線部１２ａが配置されて成る複数の面状発熱部１３を一直線状に配置し、各面状発熱部１３の間にその主線部１２ａ同士を接続するヒータ線１２の接続線部１２ｂが配置されて成る変形可能な面状連結部１４を連設することで、縦長のシートユニット状に形成されている。ここで、面状発熱部１３は平面視で上記被加熱部３と略同形に形成されている。また、主体シート１１には熱伝導性の良好なアルミシートが好適に用いられ、ヒータ線１２にはチュービングヒータを好適に用いることができると共にアルミシートには熱接着して固定することができる。なお、本例のヒータ線１２は主体シート１１の下面に敷設されているが、主体シート１１内に埋設させてもよい。
【００１７】
この面状ヒータ１０を床パン１の下面に沿設するには、図５のように、各面状発熱部１３を対応する各被加熱部３に沿わせてそれぞれ配置すると共に、各面状連結部１４を折り曲げて対応する各リブ２の両側面２ａ及び突出先端面２ｂに沿わせて配設することで行う。ここで、ヒータ線１２の主線部１２ａは平面視矩形状の面状発熱部１３に隈なく蛇行状に配線されて面状発熱部１３を隈なく発熱可能にしており、面状発熱部１３が沿設された床パン１の被加熱部３を略均一に加熱できるようにされている。なお、面状発熱部１３にはヒータ線１２に接続した温度調節器１５も配置されており、この温度調節器１５は接着剤や両面テープ等で主体シート１１に固定されている。また、ヒータ線１２の接続線部１２ｂは面状発熱部１３の隣接方向（図３中矢印Ａ）に対して斜めに角度をつけるようにして（非平行にして）配線されている。面状連結部１４は上述のようにリブ２の両側面２ａ及び突出先端面２ｂに沿わせて配設されるのであるが、このときヒータ線１２の接続線部１２ｂは、図１のように、リブ２の両側面２ａに沿う接続線部１２ｂの折曲前部１２ｂ１と折曲後部１２ｂ２とがリブ２の側面２ａから見て重ならないようにされる。なお、折曲前部１２ｂ１、折曲後部１２ｂ２とは、面状連結部１４を折り曲げた際に一緒に折り曲げられる接続線部１２ｂの該折り曲げ部位を境に分割した各部位を分けて称したものである。ここで、本例の接続線部１２ｂは面状発熱部１３の隣接方向に対して斜めに一直線状に配線されているが、接続線部１２ｂの折曲前部１２ｂ１と折曲後部１２ｂ２とがリブ２の側面２ａから見て重ならないものであれば、その配線形態は本例のような直線状に限られることはない。
【００１８】
すなわち、本例の床パン暖房構造は、床パン１の下面に沿設する面状ヒータ１０は変形可能な面状連結部１４を折り曲げることでリブ２を乗り越えるようにしているため、従来技術のようにリブ２にその根元にまで至る切欠９を設けることなく床パン１の下面への面状ヒータ１０の沿設が可能にされており、リブ２による床パン１の剛性補強効果を確保できたものである。また、リブ２を乗り越える面状連結部１４にある接続線部１２ｂもヒータ線１２の一部なので通電すると発熱するものであり、つまり面状ヒータ１０は被加熱部３は勿論のことリブ２を含めて床パン１の下面を加熱することができるから、洗い場を略均一に加熱することができたものである。そして、接続線部１２ｂにおけるリブ２の両側面２ａに沿う折曲前部１２ｂ１と折曲後部１２ｂ２とはリブ２の側面２ａから見て重ならないようにされているので、リブ２の同位置を両側面２ａから加熱してしまう事態が回避され、つまりリブ２の局所的な過加熱が防止されているのである。
【００１９】
なお、面状連結部１４をリブ２に沿わせて折り曲げた際には、リブ２が面状連結部１４を突っ張らせるように、面状連結部１４に面状発熱部１３の隣接方向への折曲負荷がかかることもあるが、面状連結部１４にあるヒータ線１２の接続線部１２ｂは上記折曲負荷の負荷方向である面状発熱部１３の隣接方向に対して斜めに角度をつけるようにして配線されているので、折曲負荷によって生じる接続線部１２ｂの張力を吸収できて、接続線部１２ｂが断線してしまうといった恐れを回避できるという利点も有している。
【００２０】
上記面状ヒータ１０の床パン１の下面への取り付けは、図１，５のように、床パン１の下面に沿設した面状ヒータ１０や、この面状ヒータ１０の下方を覆った軟質性断熱材２０を挟むようにして、床パン１の下面の被加熱部３に硬質性断熱材３０を固定させることで行われる。ここで、軟質性断熱材２０は図４のように平面視で面状ヒータ１０と略同形状に形成された可撓性を有したシート状の断熱材であり、リブ２を乗り越えるように床パン１の下面に沿設した面状ヒータ１０に沿わせてその全下面を被覆できるようにされている。また、硬質性断熱材３０は平面視で床パン１の被加熱部３と略同形状に形成された自己保形性を有した矩形板状の断熱材である。
【００２１】
詳しくは、床パン１の被加熱部３からはボス６が下方に突設されており、このボス６を面状ヒータ１０の面状発熱部１３や軟質性断熱材２０や硬質性断熱材３０に設けた各ボス挿通孔１６，２１，３１に順に通し、硬質性断熱材３０の下方からワッシャ３２を介してビス３３をボス６に螺入させることで、面状ヒータ１０や軟質性断熱材２０や硬質性断熱材３０が床パン１の下側に固定される。本例ではボス６には雌ネジ部を刻設したビス取付孔６ａが穿設されており、ビス３３の雄ネジ部をビス取付孔６ａの雌ネジ部に螺合させることが行われている。床パン１はＦＲＰ等で構成されたいわゆる硬質部材であり、この硬質部材の床パン１への硬質性断熱材３０の取り付けによって面状ヒータ１０や軟質性断熱材２０の床パン１の下面への取り付けを行わせたことで、比較的安定した取り付けが可能にされている。
【００２２】
上記のように床暖房装置を床パン１に設置した際には、面状ヒータ１０の下方が断熱材２０，２１で覆われているので、面状ヒータ１０で発生した熱を床パン１側に効率良く伝熱できて、面状ヒータ１０の加熱効率の向上が図られている。詳しくは、リブ２に沿わせて屈曲変形された面状ヒータ１０の面状連結部１４は同じくリブ２に沿わせて屈曲変形された軟質性断熱材２０で覆われて熱のロスの抑制が図られている。また、主に加熱がなされる床パン１の被加熱部３に沿う面状発熱部１３の下方では、軟質性断熱材２０と硬質性断熱材３０とが積層されて断熱性が高められていると共に、本例では矩形板状の硬質性断熱材３０が面状発熱部１３を隈なく被加熱部３に押し付けて面状発熱部１３の被加熱部３への密着性が高められている。このように、面状ヒータ１０による床パン１の加熱効率の向上が効果的に図られている。
【００２３】
また、本例のリブ２の突出先端面２ｂにおける面状ヒータ１０の面状連結部１４が覆う箇所には一段上方へ凹ませた凹部７が形成されており、この凹部７からは位置決め突起８が下方に突設されている。また、面状ヒータ１０の面状連結部１４には上記位置決め突起８を嵌合させる位置決め穴１７が穿設されている。しかして、面状ヒータ１０を床パン１の下面に沿設する作業時には、まず視認性の良いリブ２の突出先端面２ｂの位置決め突起８を面状連結部１４の位置決め穴１７に嵌合させることで、簡単且つ正確に面状ヒータ１０を床パン１の下面に沿設させるようにでき、良好な製造性が確保されている。
【００２４】
また、リブ２を乗り越える面状ヒータ１０の面状連結部１４や軟質性断熱材２０の下方には、図１，２のようにこれらを保護するための保護カバー４０が取り付けられる。保護カバー４０はリブ２を差し込む切込み４１を有した上方に開口せる矩形箱状の硬質部材であってリブ２の凹部７内に配置されるのであり、そしてこの保護カバー４０は、保護カバー４０の下方からワッシャ４２を介してビス４３を、保護カバー４０に設けた貫通孔４４に通し、軟質性断熱材２０の面状連結部１４を覆う部位に穿設した貫通孔２２を通って下方に露出する位置決め突起８に対して螺入することで、リブ２に取り付けられるのである。なお、本例では位置決め突起８には雌ネジ部を刻設したビス取付孔８ａが穿設されており、ビス４３の雄ネジ部をビス取付孔８ａの雌ネジ部に螺合させることが行われている。
【００２５】
この保護カバー４０によると、リブ２を乗り越える面状ヒータ１０が外力により傷付けられるのを防止できるだけでなく、軟質性断熱材２０を介して面状ヒータ１０の面状連結部１４をリブ２に押し付けるようにして密着性を高めることもできて面状ヒータ１０による床パン１の加熱効率の向上を図ることもできる。なお、保護カバー４０と面状ヒータ１０との間には軟質性断熱材２０が介装されるが、この軟質性断熱材２０によると、洗い場を踏み込んだ際にも保護カバー４０と面状ヒータ１０との接触を防止して床鳴りのような接触音の発生を防止できる利点も有している。
【図面の簡単な説明】
【００２６】
【図１】本発明の実施の形態の例の床暖房装置を床パンに設置する状態の要部の分解斜視図である。
【図２】同上の床暖房装置を設置した床パンを下方から見た斜視図である。
【図３】同上の面状ヒータの斜視図である。
【図４】同上の軟質性断熱材の斜視図である。
【図５】同上の床暖房装置を設置した床パンの要部の縦断面図である。
【図６】従来技術の例の床暖房装置を設置した床パンを下方から見た斜視図である。
【符号の説明】
【００２７】
１  床パン
２  リブ
２ａ  側面
２ｂ  突出先端面
３  被加熱部
８  位置決め突起
１０  面状ヒータ
１２  ヒータ線
１２ａ  主線部
１２ｂ  接続線部
１２ｂ１  折曲前部
１２ｂ２  折曲後部
１３  面状発熱部
１４  面状連結部
１７  位置決め穴
２０  軟質性断熱材
３０  硬質性断熱材
４０  保護カバー
【図１】
0004944710.tif 000002
【図２】
0004944710.tif 000003
【図３】
0004944710.tif 000004
【図４】
0004944710.tif 000005
【図５】
0004944710.tif 000006
【図６】
0004944710.tif 000007